(57)【要約】【課題】ユーザが、何気なく視聴している番組から他の番組へ視聴チャンネルを切り換えた後に、当初何気なく視聴していた番組に視聴チャンネルを戻した際に大切なシーンを見逃してしまっていた場合などに、他の番組の視聴期間であっても何気なく視聴していた番組を継続してキャッシュ録画する。【解決手段】２つのチューナのうちの一方のチューナ１で、ユーザが指示するチャンネルを受信するとともに、受信中のチャンネルで放送されている番組の先頭を特定する。そして、ユーザが番組開始時から所定の時間以上連続して視聴した場合には、この番組をユーザの関心が高い番組と判断してこのチューナ１をロックし、この後、ユーザによってチャンネル切り換えが行われた場合には、チューナ１で同一チャンネルの受信及び一時記録が継続されるようにするとともに、他のチューナ２でユーザが要求したチャンネルの受信が行われる。【選択図】図３
2007180849.tif 000002
【特許請求の範囲】
【請求項１】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の先頭を特定する番組先頭特定手段と、
前記チャンネル切り換え要求検出手段で新たなチャンネル切り換え要求が検出された場合に、前記番組の先頭の視聴が行われた時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記番組視聴判定手段で前記ユーザが前記番組の先頭から前記所定の時間以上視聴を行っていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【請求項２】
複数のチューナと、前記複数のチューナのそれぞれにおいて選局されているチャンネルの映像データの一時記録を行う一時記録手段と、前記一時記録手段で一時記録されている前記映像データの再生を行う一時記録再生手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが前記複数のチューナのいずれか１つで一時記録されている前記映像データの視聴要求を行う一時記録データ視聴要求を検出する一時記録データ視聴要求検出手段と、
前記一時記録データ視聴要求検出手段で検出された前記一時記録データ視聴要求に基づいて再生される前記映像データに含まれている番組の先頭を特定する番組先頭特定手段と、
前記チャンネル切り換え要求検出手段で新たなチャンネル切り換え要求が検出された場合に、前記番組の先頭が再生された時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記番組視聴判定手段で前記ユーザが前記番組の先頭から前記所定の時間以上視聴を行っていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【請求項３】
複数のチューナと、前記複数のチューナのそれぞれにおいて選局されているチャンネルの映像データの一時記録を行う一時記録手段と、録画予約情報で指定されている番組の予約録画を行う予約録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の先頭を特定する番組先頭特定手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記チャンネル切り換え要求検出手段で新たなチャンネル切り換え要求が検出された場合に、前記新たなチャンネル切り換え要求が検出された時刻から、次に予約録画が開始されるまでの予約録画開始残り時間を計測する予約録画開始残り時間計測手段と、
前記番組視聴時間計測手段で計測された前記番組視聴時間と、前記予約録画開始残り時間計測手段で計測された前記予約録画開始残り時間とに基づき、前記ユーザが前記番組の先頭から第１の所定の時間以上前記番組の視聴を行っており、かつ次の予約録画の開始時刻が第２の所定の時間以上離れているか否かを判定する番組視聴判定手段と、
前記番組視聴判定手段で前記ユーザが前記番組の先頭から前記第１の所定の時間以上視聴を行っており、かつ次の予約録画の開始時刻が前記第２の所定の時間以上離れていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【請求項４】
複数のチューナと、前記複数のチューナのそれぞれにおいて選局されているチャンネルの映像データの一時記録を行う一時記録手段と、録画予約情報で指定されている番組の予約録画を行う予約録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の終了時刻を特定する番組終了時刻特定手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記チャンネル切り換え要求検出手段で新たなチャンネル切り換え要求が検出された場合に、前記新たなチャンネル切り換え要求の直前に視聴されている番組の終了時刻が、次の予約録画開始時刻よりも前か否かを判定する番組重複判定手段と、
前記番組視聴時間計測手段で計測された前記番組視聴時間と、前記番組重複判定手段の判定結果とに基づき、前記ユーザが前記番組の先頭から前記所定の時間以上前記番組の視聴を行っており、かつ次の予約録画の対象番組の時間帯と重複していないと判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置。
【発明の詳細な説明】
【技術分野】
【０００１】
本発明は、光ディスクやハードディスクあるいは半導体メモリなどの大容量の記録媒体に対して映像データの記録及び再生を行う映像データ記録再生装置（以下、単に記録再生装置と呼ぶこともある）を制御する映像データ記録再生制御装置に関し、特に、ＴＶ（テレビジョン）放送における放送番組（テレビ番組）を通じて取得される映像データの記録及び再生を行う映像データ記録再生装置を制御する映像データ記録再生制御装置に関する。
【背景技術】
【０００２】
従来、放送番組などの映像（及び音声）のコンテンツの記録再生を行う記録再生装置としては、ビデオテープを用いたＶＴＲ（Video Tape Recorder：ビデオテープレコーダ）が知られているが、近年では、ＤＶＤ（Digital Versatile Disc）、ＨＤＤ（Hard Disk Drive：ハードディスクドライブ）、半導体メモリなどの大容量の記録媒体を用いて映像データの記録再生を行うＨＤＤレコーダやＤＶＤレコーダなどの記録再生装置が知られている。また、例えばハードディスクなどのランダムアクセス可能な記録媒体を用いた記録再生装置において、視聴者が所望の番組を録画しながら他の録画番組を再生（視聴）できるように構成されているものも存在する。
【０００３】
また、ハードディスクなどのランダムアクセス可能な大容量の記録媒体を用いることで、番組の録画中に、その番組の録画済みの部分の再生を行うことが可能なタイムシフト再生に類似する機能として、キャッシュ再生と呼ばれる機能も提案されている。
【０００４】
このキャッシュ再生では、所定容量（所定時間）を限度として、放送中の視聴番組を常に記録媒体に一時的に録画（キャッシュ）することで、ユーザが少し前のシーンからもう一度視聴したい場合などに、このキャッシュとして蓄えられている範囲内において、時間をさかのぼって再生できるようにする機能である。タイムシフト再生やキャッシュ再生に関しては、例えば、下記の各特許文献１〜４などにおいても開示されている。
【０００５】
下記の特許文献１には、タイムシフト再生やキャッシュ再生の再生対象の番組に、番組の区切れを設定する技術が開示されている。この特許文献１に開示されている技術によれば、ユーザは、キャッシュに録画されているデータの再生によって、何気なく視聴している番組において見逃してしまったシーンや特別にもう一度視聴し直したいと思うシーンを視聴することが可能となる。
【０００６】
また、下記の特許文献２、３には、複数のチューナを利用して、あるチャンネルの番組の視聴が行われている際に視聴者が一時的に他のチャンネルに切り換えた場合、チャンネル切り換え前の番組の録画が行われる技術が開示されている。また、下記の特許文献４には、ピクチャインピクチャ視聴システムにおいて、親画面と子画面との表示切り換え、及び各画面に表示される映像のキャッシュ再生の操作を行うためのリモコン（リモートコントローラ）を１つにまとめることによって、ユーザの利便性を向上させる技術が開示されている。これらの特許文献２〜４に開示されている技術によれば、放送信号を受信・選局するチューナを複数設けることによって、特定の番組を録画する一方で他の番組（上記の特定の番組の裏番組）を再生・視聴することが可能となる。
【０００７】
また、図１１〜１３には、ユーザ要求、チューナ状態、一時記録を行う対象チャンネル、一時記録の再生状態、モニタに表示される対象チャンネル（表示状態）のそれぞれの時間的な関係を模式的に示すタイミングチャートが図示されている。以下、図１１〜１３を参照しながら、従来の技術に係る動作の一例について説明する。
【０００８】
なお、以下では、任意の時刻ｔαに行われる各動作、又は任意の時刻ｔαの状態を表す場合、時刻をパラメータとした関数によって表記する場合もある。すなわち、例えば、時刻ｔ１において、ユーザによってＣｈ１へのチャンネル切り換え要求（Ｃｈ１選択操作）が行われた場合には、Ｕ（ｔ１）＝Ｃｈ１と表記することがあり、時刻ｔ４において、モニタにＣｈ４のチャンネル表示が開始された場合には、Ｄ（ｔ４）＝Ｃｈ４と表記することがある。
【０００９】
まず、図１１を参照しながら、従来の技術に係る動作の第１の例について説明する。図１１に図示されているタイミングチャートには、基本的に、ユーザがチャンネル切り換えを行った場合に、このチャンネル切り換えに連動してチューナが切り換わるとともに、チューナによる受信信号を一時記録装置が記録する場合の一例が図示されている。なお、図１１には、図面の左から右方向に時刻（ｔ）の流れが示されており、図面の縦方向には、ユーザ要求：Ｕ、チューナ状態：Ｔｕ、一時記録を行う対象チャンネル：Ｃ、一時記録データの再生状態：Ｐ、モニタに表示される対象チャンネル（表示状態）：Ｄの各項目が配置されている。
【００１０】
図１１において、時刻ｔ７０におけるユーザの操作Ｕ（ｔ７０）＝電源オン（ＰＷ ＯＮ）の後、ユーザが指示するチャンネル切り換え要求Ｕ（ｔ７１）＝Ｃｈ１、Ｕ（ｔ７２）＝Ｃｈ３、Ｕ（ｔ７３）＝Ｃｈ４、Ｕ（ｔ７４）＝Ｃｈ１に対して、チューナはその要求に応じて随時Ｔｕ（ｔ７１）＝Ｃｈ１、Ｔｕ（ｔ７２）＝Ｃｈ３、Ｔｕ（ｔ７３）＝Ｃｈ４、Ｔｕ（ｔ７４）＝Ｃｈ１のように、チャンネルの切り換えを行う。
【００１１】
また、これにより、このチューナによってチューニングされているチャンネルの番組を記録する一時記録の対象チャンネルも、Ｃ（ｔ７１）＝Ｃｈ１、Ｃ（ｔ７２）＝Ｃｈ３、Ｃ（ｔ７３）＝Ｃｈ４、Ｃ（ｔ７４）＝Ｃｈ１となる。また、モニタ表示もユーザ要求に追従して、Ｄ（ｔ７１）＝Ｃｈ１、Ｄ（ｔ７２）＝Ｃｈ３、Ｄ（ｔ７３）＝Ｃｈ４、Ｄ（ｔ７４）＝Ｃｈ１となる。
【００１２】
次に、時刻ｔ７５において、ユーザが一時記録装置に記録されたデータを再生する要求Ｕ（ｔ７５）＝再生を行った場合、一時記録データの再生状態は、一時記録装置に記録されている番組の再生映像を出力するＰ（ｔ７５）＝再生（例えば、時刻ｔ７４以降に一時記録されているＣｈ１の番組）となって、表示状態Ｄ（ｔ７５）＝再生（例えば、時刻ｔ７４以降に一時記録されているＣｈ１の番組）となる。
【００１３】
一方、一時記録装置では、継続してＣｈ１の番組の録画が行われる。すなわち、一時記録装置は、ユーザが選局したチューナの映像データをそのまま記録する。そして、時刻ｔ７７においてユーザがチャンネルをＣｈ４に切り換えるチャンネル切り換え要求Ｕ（ｔ７７）＝Ｃｈ４を行った場合には、再び、このユーザ要求に応じて、チューナ状態Ｔｕ（ｔ７７）＝Ｃｈ４、一時記録状態Ｃ（ｔ７７）＝Ｃｈ４、表示状態Ｄ（ｔ７７）＝Ｃｈ４となり、一時記録データの再生状態Ｐ（ｔ７７）＝停止となる。
【００１４】
続いて、図１２を参照しながら、従来の技術に係る動作の第２の例について説明する。図１２に図示されているタイミングチャートにおいても、図１１に図示されているタイミングチャートと同様に、ユーザが選局したチャンネルがそのまま記録される場合の一例が図示されている。なお、図１２には、図面の左から右方向に時刻（ｔ）の流れが示されており、図面の縦方向には、ユーザ要求：Ｕ、チューナ状態：Ｔｕ、一時記録を行う対象チャンネル：Ｃ、所定の録画装置の録画状態：Ｒ、モニタに表示される対象チャンネル（表示状態）：Ｄの各項目が配置されている。
【００１５】
図１２において、時刻ｔ８０におけるユーザの操作Ｕ（ｔ８０）＝電源オン（ＰＷ ＯＮ）の後、ユーザが指示するチャンネル切り換え要求Ｕ（ｔ８１）＝Ｃｈ１、Ｕ（ｔ８２）＝Ｃｈ３、Ｕ（ｔ８３）＝Ｃｈ４、Ｕ（ｔ８４）＝Ｃｈ１に対して、チューナはその要求に応じて随時Ｔｕ（ｔ８１）＝Ｃｈ１、Ｔｕ（ｔ８２）＝Ｃｈ３、Ｔｕ（ｔ８３）＝Ｃｈ４、Ｔｕ（ｔ８４）＝Ｃｈ１のように、チャンネルの切り換えを行う。
【００１６】
また、これにより、このチューナによってチューニングされているチャンネルの番組を記録する一時記録の対象チャンネルも、Ｃ（ｔ８１）＝Ｃｈ１、Ｃ（ｔ８２）＝Ｃｈ３、Ｃ（ｔ８３）＝Ｃｈ４、Ｃ（ｔ８４）＝Ｃｈ１となる。また、表示状態もユーザ要求に追従して、Ｄ（ｔ８１）＝Ｃｈ１、Ｄ（ｔ８２）＝Ｃｈ３、Ｄ（ｔ８３）＝Ｃｈ４、Ｄ（ｔ８４）＝Ｃｈ１となる。
【００１７】
次に、時刻ｔ８５において、ユーザが一時記録装置に記録されたデータを他の記録媒体に記録（録画）する要求Ｕ（ｔ８５）＝録画を行った場合、一時記録装置に記録されている番組の録画が開始される。すなわち、ユーザによる録画要求によって、所定の録画装置の録画状態Ｒ（ｔ８５）＝録画（例えば、時刻ｔ８４以降に一時記録されているＣｈ１の番組）となり、一時記録装置に記録されたデータが、所定の録画装置に出力されて記録媒体に記録される。
【００１８】
その後、例えば、ユーザが指示するチャンネル切り換え要求Ｕ（ｔ８６）＝Ｃｈ４、Ｕ（ｔ８７）＝Ｃｈ１に連動して、チューナ状態Ｔｕ（ｔ８６）＝Ｃｈ４、Ｔｕ（ｔ８７）＝Ｃｈ１となるとともに、表示状態Ｄ（ｔ８６）＝Ｃｈ４、Ｄ（ｔ８７）＝Ｃｈ１となる一方、所定の録画装置は、一時記録装置に記録されているデータを他の記録媒体に録画する動作を継続して行い、その結果、所定の録画装置の状態は、時刻ｔ８６のチャンネル切り換えに対応して、Ｒ（ｔ８８）＝Ｃｈ４となり、時刻ｔ８７のチャンネル切り換えに対応して、Ｒ（ｔ８９）＝Ｃｈ１となる。
【００１９】
続いて、図１３を参照しながら、従来の技術に係る動作の第３の例について説明する。図１３に図示されているタイミングチャートには、２つのチューナを利用して、チューナのチャンネル切り換え動作及び一時記録動作が行われる場合の一例が図示されている。なお、図１３には、図面の左から右方向に時刻（ｔ）の流れが示されており、図面の縦方向には、ユーザ要求：Ｕ、チューナ１のチューナ状態：Ｔｕ１、チューナ２のチューナ状態：Ｔｕ２、チューナ１に対応する一時記録動作：Ｃ１、一時記録装置によって記録されたデータの再生状態Ｐ１、モニタに表示される対象チャンネル（表示状態）：Ｄの各項目が配置されている。
【００２０】
図１３において、ユーザが時刻ｔ９０においてチャンネル切り換え要求Ｕ（ｔ９０）＝Ｃｈ６を行った場合、この要求に応じて、一方のチューナ（チューナ１）の状態がＴｕ１（ｔ９０）＝Ｃｈ６となって、ユーザの指示に従ってチャンネルを合わせる。また、表示状態もユーザの指示に従って、Ｄ（ｔ９０）＝Ｃｈ６となる。また、ユーザが時刻ｔ９１においてチャンネル切り換え要求Ｕ（ｔ９１）＝Ｃｈ１を行った場合も同様に、Ｔｕ１（ｔ９１）＝Ｃｈ１、Ｄ（ｔ９１）＝Ｃｈ１となる。
【００２１】
ここで、時刻ｔ９２において、ユーザがこのチャンネル（Ｃｈ１）を一応記録しておこうと思い、一時記録要求Ｕ（ｔ９２）＝記録を行ったとする。この場合、一時記録装置は、このチューナ１のチャンネル（Ｃｈ１）番組の一時記録動作Ｃ１（ｔ９２）＝Ｃｈ１を開始する。
【００２２】
この状態のときに、ユーザがチャンネル切り換え要求Ｕ（ｔ９３）＝Ｃｈ３、Ｕ（ｔ９４）＝Ｃｈ４を行った場合には、チューナ１の選局及び一時記録装置の一時記録動作はそのまま継続される一方、もう一方のチューナ２で、Ｔｕ２（ｔ９３）＝Ｃｈ３、Ｔｕ２（ｔ９４）＝Ｃｈ１のように選局が行われ、表示状態もこのユーザ操作に連動して、Ｄ（ｔ９３）＝Ｃｈ３、Ｄ（ｔ９４）＝Ｃｈ４となる。
【００２３】
これによって、ユーザが特定のチャンネルの番組の一時記録を指示した場合には、その後のチャンネルの選局及びモニタ表示は、別のチューナによって行われ、番組の録画（一時記録）中であっても、他の番組の視聴が可能となる。
【００２４】
また、時刻ｔ９５において、ユーザが一時記録装置に記録されたデータを再生する要求Ｕ（ｔ９５）＝再生を行った場合、一時記録データの再生状態は、一時記録装置に記録されている番組の再生映像を出力するＰ１（ｔ９５）＝再生（例えば、時刻ｔ９３以降に一時記録されているＣｈ１の番組）となって、表示状態Ｄ（ｔ９５）＝再生（例えば、時刻ｔ９３以降に一時記録されているＣｈ１の番組）となる。
【００２５】
この後の動作は、ユーザやメーカ側の設定によって様々であるが、例えば、ユーザが時刻ｔ９７で一時記録データの再生停止を要求した場合（Ｕ（ｔ９７）＝再生停止）には、一時記録データの再生状態Ｐ１（ｔ９７）＝停止（例えば、時刻ｔ９７におけるＣｈ１の番組で停止）となるとともに、表示状態Ｄ（ｔ９７）＝Ｃｈ４となる。また、ユーザによる別のチャンネル選局Ｕ（ｔ９８）＝Ｃｈ８に対してチューナ２がＴｕ２（ｔ９８）＝Ｃｈ８となるとともに、Ｄ（ｔ９８）＝Ｃｈ８となる。さらに、Ｕ（ｔ９９）＝Ｃｈ１のように、ユーザがＣｈ１の選局を行った場合には、Ｐ１（ｔ９９）＝再生（時刻ｔ９７以降のＣｈ１の番組（一時記録データ）の再生）が再開され、Ｄ（ｔ９９）＝再生（Ｃｈ１の一時記録データ）となる。
【特許文献１】特開２００２−１００１６２号公報（段落０００３〜０００６、００３５〜００３７）
【特許文献２】特開２００２−５１２９０号公報（図２〜４）
【特許文献３】特開２００３−５２００１号公報（段落００２８、図１）
【特許文献４】特開２００４−７２４４９号公報（段落００８２〜００８４、図１）
【発明の開示】
【発明が解決しようとする課題】
【００２６】
しかしながら、特許文献１に開示されている技術では、キャッシュ再生を可能にするキャッシュ録画は視聴中の番組を記録するものであるため、ユーザが選局した視聴チャンネルに依存して、視聴中の映像データがキャッシュされることになる。このため、キャッシュ機能を十分に活用するためには、ユーザは、チャンネルの切り換えをむやみ行わないことが望ましい。すなわち、チャンネル切り換えの激しいユーザにとっては、キャッシュ機能を十分に活用することはできないという問題がある。
【００２７】
また、特許文献２、３に開示されている技術では、複数のチャンネルのうちのどのチャンネルで放送されている番組をキャッシュ録画の対象番組とするかに関しては、ユーザの意思によって選択される必要がある。したがって、ユーザは、キャッシュされる番組を意識する必要があり、キャッシュ録画機能に本来求められている「何気なく視聴している番組に対してのキャッシュ記録」という観点においては、決して十分なものであるとは言えないという問題がある。
【００２８】
また、特許文献４に開示されている技術では、親画面において再生されている番組の録画を固定チャンネル録画の対象とすることで、特定の番組（親画面に表示される番組）のチャンネルを固定して録画しながら、他のチャンネルの選局、再生が可能となるが、上述の特許文献２、３と同様に、ユーザは、親画面及び子画面の関係によってキャッシュ録画の対象番組を決める必要がある。さらに、特許文献４に開示されている技術は、親画面及び子画面を利用していない全画面表示（１画面表示）による番組視聴に対応しておらず、全画面表示の際には、特許文献２、３に開示されている技術と同様に、ユーザは、何らかの方法によって、キャッシュ録画の対象番組を選択しなければならないという問題がある。
【００２９】
上記の問題に鑑み、本発明は、ユーザが何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画する映像データ記録再生制御装置を提供することを目的とする。
【課題を解決するための手段】
【００３０】
上記の目的を達成するため、本発明の第１の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の先頭を特定する番組先頭特定手段と、
前記チャンネル切り換え要求検出手段で新たなチャンネル切り換え要求が検出された場合に、前記番組の先頭の視聴が行われた時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記番組視聴判定手段で前記ユーザが前記番組の先頭から前記所定の時間以上視聴を行っていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【００３１】
また、上記の目的を達成するため、本発明の第２の態様によれば、複数のチューナと、前記複数のチューナのそれぞれにおいて選局されているチャンネルの映像データの一時記録を行う一時記録手段と、前記一時記録手段で一時記録されている前記映像データの再生を行う一時記録再生手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが前記複数のチューナのいずれか１つで一時記録されている前記映像データの視聴要求を行う一時記録データ視聴要求を検出する一時記録データ視聴要求検出手段と、
前記一時記録データ視聴要求検出手段で検出された前記一時記録データ視聴要求に基づいて再生される前記映像データに含まれている番組の先頭を特定する番組先頭特定手段と、
前記チャンネル切り換え要求検出手段で新たなチャンネル切り換え要求が検出された場合に、前記番組の先頭が再生された時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記番組視聴判定手段で前記ユーザが前記番組の先頭から前記所定の時間以上視聴を行っていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【００３２】
また、上記の目的を達成するため、本発明の第３の態様によれば、複数のチューナと、前記複数のチューナのそれぞれにおいて選局されているチャンネルの映像データの一時記録を行う一時記録手段と、録画予約情報で指定されている番組の予約録画を行う予約録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の先頭を特定する番組先頭特定手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記チャンネル切り換え要求検出手段で新たなチャンネル切り換え要求が検出された場合に、前記新たなチャンネル切り換え要求が検出された時刻から、次に予約録画が開始されるまでの予約録画開始残り時間を計測する予約録画開始残り時間計測手段と、
前記番組視聴時間計測手段で計測された前記番組視聴時間と、前記予約録画開始残り時間計測手段で計測された前記予約録画開始残り時間とに基づき、前記ユーザが前記番組の先頭から第１の所定の時間以上前記番組の視聴を行っており、かつ次の予約録画の開始時刻が第２の所定の時間以上離れているか否かを判定する番組視聴判定手段と、
前記番組視聴判定手段で前記ユーザが前記番組の先頭から前記第１の所定の時間以上視聴を行っており、かつ次の予約録画の開始時刻が前記第２の所定の時間以上離れていると判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【００３３】
また、上記の目的を達成するため、本発明の第４の態様によれば、複数のチューナと、前記複数のチューナのそれぞれにおいて選局されているチャンネルの映像データの一時記録を行う一時記録手段と、録画予約情報で指定されている番組の予約録画を行う予約録画手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記ユーザが視聴しているチャンネルの番組の終了時刻を特定する番組終了時刻特定手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記番組視聴時間計測手段で計測された前記番組視聴時間に基づき、前記ユーザが前記番組の先頭から所定の時間以上前記番組の視聴を行っているか否かを判定する番組視聴判定手段と、
前記チャンネル切り換え要求検出手段で新たなチャンネル切り換え要求が検出された場合に、前記新たなチャンネル切り換え要求の直前に視聴されている番組の終了時刻が、次の予約録画開始時刻よりも前か否かを判定する番組重複判定手段と、
前記番組視聴時間計測手段で計測された前記番組視聴時間と、前記番組重複判定手段の判定結果とに基づき、前記ユーザが前記番組の先頭から前記所定の時間以上前記番組の視聴を行っており、かつ次の予約録画の対象番組の時間帯と重複していないと判定された前記番組の受信に利用されているチューナとは異なる他のチューナを利用して、前記新たなチャンネル切り換え要求で指定されたチャンネルの受信が行われるように制御するチューナ選択制御手段とを、
有する映像データ記録再生制御装置が提供される。
【発明の効果】
【００３４】
上述の本発明の第１の態様によれば、ユーザが番組開始時点から所定の時間以上視聴している番組をユーザの関心の高い番組と判定し、この番組を受信しているチューナの受信及び一時記録動作を継続させることが可能となる。
【００３５】
また、上述の本発明の第２の態様によれば、ユーザが一時記録されている番組の先頭から、この番組を連続して所定の時間Ｔ以上再生している場合、この番組をユーザの関心が高い番組と判断し、この番組の一時記録を継続して行うようにすることが可能となる。
【００３６】
また、上述の本発明の第３の態様によれば、ユーザがチャンネルを切り換えることなく、同一チャンネルを所定の時間以上視聴している場合、このチャンネルの番組をユーザの関心が高い番組と判断し、さらに、その後に行われる予約録画の開始時刻が所定の時間以上後に行われることを確認することによって、予約録画などのチューナ占有動作と一定時間はチューナ選局の固定が重ならないことを確認した上で、この番組の一時記録動作を継続して行うことが可能となる。
【００３７】
また、上述の本発明の第４の態様によれば、ユーザがチャンネルを切り換えることなく、同一チャンネルを所定の時間以上視聴している場合、このチャンネルの番組をユーザの関心が高い番組と判断し、さらに、この番組の放送時間帯と、その後に行われる予約録画の時間帯とが重複していないことを確認することによって、予約録画などのチューナ占有動作と自動的に行われる一時記録動作の時間帯とが重ならないことを確認したうえで、この番組の一時記録動作を継続して行い、一時記録動作によって記録される番組が最後まで記録されるようにすることが可能となる。
【発明を実施するための最良の形態】
【００３８】
以下、図面を参照しながら、本発明の第１〜第４の実施の形態について説明する。まず、本発明の第１〜第４の実施の形態において用いられる記録再生装置の構成の一例について説明する。図１は、本発明の第１〜第４の実施の形態において用いられる記録再生装置の構成の概略を示すブロック図であり、図２は、本発明の第１〜第４の実施の形態において用いられる記録再生装置の記録処理部及び制御部によって実現される機能の一例を示すブロック図である。
【００３９】
図１に図示されている記録再生装置５０は、アンテナや外部機器（他の再生装置）などから供給される入力信号を受けて、その信号に含まれるデータ（映像データ）を記録媒体に記録する機能や、記録媒体に記録されているデータを読み出して、ＴＶなどの表示装置や他の記録装置などにデータを再生して出力する機能を有している。なお、記録再生装置５０は、予約設定された時刻やチャンネルに基づいて放送番組の録画を行う機能や、番組を一時的に記録し再生を行う一時記録機能及びキャッシュ再生機能も有している。
【００４０】
上記の機能を実現するため、図１に図示されている記録再生装置５０は、外部（アンテナや他の再生装置など）から供給される入力信号を受ける外部機器入力部１と、選局機能を備えた第１放送受信部（チューナ１）２及び第２放送受信部（チューナ２）３と、外部機器入力部１や第１及び第２放送受信部２、３などから供給される入力信号を記録するための記録媒体を有する記録処理部４と、記録再生装置５０の動作状況やユーザによる操作状況などを表示する表示パネルなどの表示部５と、この記録再生装置５０をリモコンなどのユーザインターフェースを通して操作を可能とするためのユーザ制御部６と、外部機器入力部１や第１及び第２放送受信部２、３などから供給される入力信号や記録媒体から読み出された信号を、外部（表示装置や他の録画装置など）に対して出力する外部機器出力部７と、各構成要素の動作制御を行う制御部８とを有している。
【００４１】
また、図１に図示されている記録再生装置５０の記録処理部４及び制御部８は、図２に図示されている機能を実現する。図２において、外部機器入力部１や第１及び第２放送受信部２、３から供給される入力信号は、その後の処理の対象となる信号を少なくとも１つ以上選択するための信号選択部９に送られ、信号の選択が行われる。処理の対象として選択された信号は、記録信号処理部１０によって圧縮処理（例えばＭＰＥＧ（Moving Picture Experts Group）方式）などの記録信号処理が行われる。
【００４２】
そして、この記録信号処理部１０による記録信号処理後のデータは、記録制御部１１及び記録媒体管理部１２の制御によって、主に第１及び第２放送受信部２、３で受信された放送信号を一時的にキャッシュする一時記録部１３、１４や、長期的に映像の保存を行う記録媒体１５に送られて記録（録画）される。一時記録部１３、１４は、例えばＨＤＤによって実現され、記録媒体１５は、例えばＨＤＤやＤＶＤによって実現される。
【００４３】
なお、図２では、一時記録部１３、１４、記録媒体１５は、それぞれ独立して図示されているが、１つのハードウェアによって実現することも可能である。すなわち、一時記録部１３、１４、記録媒体１５はそれぞれ個別のハードウェアによって実現されてもよく、あるいは、高速アクセスが可能な大容量記録装置（例えばＨＤＤなど）の記録領域を割り当てたり、個別のファイルとして格納したりすることによって、１つの大容量記録装置で実現されてもよい。
【００４４】
また、一時記録部１３、１４、記録媒体１５に記録されているデータの再生時には、記録媒体管理部１２の制御によって、例えばユーザ制御部６（図１参照）から指示された映像データが、適切な一時記録部１３、１４、記録媒体１５から読み出される。そして、記録媒体管理部１２によって読み出されたデータは、再生制御部１６の制御によって再生信号処理部１７に送られて伸長処理（例えばＭＰＥＧ伸長）などの再生信号処理が行われる。再生信号処理部１７による再生信号処理後のデータは、表示制御部１８の制御によって、ディスプレイ表示処理部１９による処理（例えば、オンスクリーンディスプレイ処理など）の後、外部機器への出力信号として外部機器出力部７（図１参照）に出力される。
【００４５】
また、図２に図示されているように、予約録画のスケジュールなどが記載された予約録画設定テーブルの管理や予約録画の開始指示／終了指示などを行う予約録画制御部２０、日時管理や計時機能などを有するシステムタイマ部２１も実現される。さらに、外部通信回線（例えば、インターネット回線や電話回線など）との接続を行い外部サーバなどとの間におけるデータ通信を制御する回線制御部２４、この回線制御部２４を通じて外部サーバなどから取得した番組情報や、放送受信信号に重畳されている番組情報を受信して、各種情報を抽出し管理する機能を有する番組情報抽出／管理部２３も実現される。
【００４６】
また、図２には、システム全体の機能を実現するために各機能ブロックを制御するシステム制御部２２も図示されている。なお、後述する本発明の各種機能も、このシステム制御部２２において制御される。
【００４７】
なお、図１及び図２では、記録再生装置５０の各機能をブロックによって表現しているが、これらの機能は、ソフトウェア及び／又はハードウェアによって実現可能である。特に、情報の処理を行うブロックの機能は、コンピュータに搭載されたＣＰＵ（Central Processing Unit：中央演算処理装置）によるプログラムの実行によって実現可能である。
【００４８】
次に、上述の図１及び図２に図示されている記録再生装置５０によって実現可能な各種機能について説明する。
【００４９】
＜第１の実施の形態＞
まず、図３、図４を参照しながら、本発明の第１の実施の形態について説明する。図３は、本発明の第１の実施の形態における記録再生装置の動作の一例を示すタイミングチャートである。
【００５０】
図３には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図３には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、モニタに表示する対象チャンネル（表示状態）：Ｄの各項目が配置されている。また、チューナ２の一時記録動作：Ｃ２に関しては、図示省略する。
【００５１】
図３において、記録再生装置は、例えば電源投入時から一時記録機能が動作するように構成されている。すなわち、時刻ｔ０におけるユーザの操作Ｕ（ｔ０）＝電源オン（ＰＷ ＯＮ）と同時に、チューナ１及びチューナ２の一時記録動作が始動する。
【００５２】
続いて行われるユーザによるチャンネル切り換え要求Ｕ（ｔ１）＝Ｃｈ１、Ｕ（ｔ２）＝Ｃｈ３、Ｕ（ｔ３）＝Ｃｈ１に対して、チューナ１は、その要求に応じて随時Ｔｕ１（ｔ１）＝Ｃｈ１、Ｔｕ１（ｔ２）＝Ｃｈ３、Ｔｕ１（ｔ３）＝Ｃｈ１のように、チャンネルの切り換えを行う。また、このチューナ１の一時記録の対象チャンネルもユーザのチャンネル切り換え要求に連動して、Ｃ１（ｔ１）＝Ｃｈ１、Ｃ１（ｔ２）＝Ｃｈ３、Ｃ１（ｔ３）＝Ｃｈ１となり、モニタ表示もユーザのチャンネル切り換え要求に追従して、Ｄ（ｔ１）＝Ｃｈ１、Ｄ（ｔ２）＝Ｃｈ３、Ｄ（ｔ３）＝Ｃｈ１となる。
【００５３】
ここで、時刻ｔ４に、チューナ１の受信チャンネルＣｈ１において、新たな次の番組の放送が開始されたとする。その後、例えば所定の時間Ｔ以上経過した後の時刻ｔ５において、ユーザから別のチャンネル（ここではＣｈ４）への切り換え要求Ｕ（ｔ６）＝Ｃｈ４が行われた場合には、チューナＴｕ１の選局及びチューナ１の一時記録動作はそのまま継続される一方、ユーザのチャンネル切り換え要求に対してはチューナ２が用いられて、Ｔｕ２（ｔ６）＝Ｃｈ４となる。また、モニタ表示は、ユーザのチャンネル切り換え要求に追従して、Ｄ（ｔ６）＝Ｃｈ４となる。さらに、これ以降のチャンネル切り換え要求（例えば、Ｕ（ｔ７）＝Ｃｈ３）に対しては、チャンネルの選局にチューナ２が用いられ表示が行われる（すなわち、Ｔｕ２（ｔ７）＝Ｃｈ３、Ｄ（ｔ７）＝Ｃｈ３）。
【００５４】
このように、ユーザが視聴している（あるいは、モニタ表示されている）チャンネルにおいて新たな番組の放送が開始された場合、この番組の開始時刻（図３の時刻ｔ４）から所定の時間Ｔが経過した場合には、ユーザがこの番組に興味を示したと判断して、このチャンネルを固定（ロック）し、所定の時間Ｔが経過した時刻（図３の時刻ｔ５）以降にチャンネル切り換え要求が行われた場合に、この番組の一時記録が継続して行われるようにする。
【００５５】
これにより、ユーザのチャンネル切り換え動作から、所定の時間Ｔ以上視聴されユーザが興味を示した番組を特定し、その後のユーザのチャンネル切り換え動作とは無関係に、一方のチューナを固定して、この番組の記録を継続することが可能となる。また、これによって、ユーザが興味を示した番組を番組開始時から自動的に記録することも可能となる。
【００５６】
なお、所定の時間Ｔには、ユーザが番組に興味を示した場合に継続して視聴する時間の閾値が設定されるが、例えば数１０秒、数分あるいは数１０分など、任意の時間が設定可能である。この所定の時間Ｔは、メーカの出荷時又は各ユーザが設定することも可能であり、各番組のジャンルや放送予定時間などに従って設定されてもよい。
【００５７】
次に、図４を参照しながら、本発明の第１の実施の形態における記録再生装置で行われる処理について説明する。図４は、本発明の第１の実施の形態における記録再生装置の処理の一例を示すフローチャートである。なお、以下では、説明を簡素化するためにチャンネル切り換え及び一時記録動作に係る処理についてのみ説明する。
【００５８】
図４に示すように、記録再生装置は電源がオン（ＰＷ  Ｏｎ）なるとシステムを順次起動する。その一環として、ステップＳ１０１でチューナ１、２を起動し、ステップＳ１０２でチューナ１で選局されている受信データ（番組）の一時記録動作を自動的に開始し、ステップＳ１０３で選局されたチャンネルの番組（あるいは、記録媒体に記録されている映像）をＴＶなどの表示モニタに出力する。
【００５９】
また、記録再生装置は、ステップＳ１０４において、視聴中のチャンネルの放送番組の先頭（番組開始）の検出を行う。なお、番組の先頭は任意の方法によって検出可能である。例えば、放送予定番組の一覧が掲載された番組表と現在時刻とを参照して番組開始を検出してもよく、また、放送される番組に先頭を特定する検出用の識別情報が付加されてもよい。
【００６０】
ステップＳ１０４で番組の先頭が検出された場合には、ステップＳ１０５において、番組を先頭から視聴している際の視聴時間を計測するためのタイマをスタートさせ、ステップＳ１０６において、ユーザからのチャンネル切り換え要求をチェックする。一方、ステップＳ１０４で番組の先頭が検出されなかった場合には、タイマをスタートさせず、ステップＳ１０６において、ユーザからのチャンネル切り換え要求をチェックする。
【００６１】
ステップＳ１０６でチャンネル切り換え要求が検出されない場合には、ステップＳ１０３に戻って、上述の処理を繰り返す一方、チャンネル切り換え要求が検出された場合には、ステップＳ１０７において、ステップＳ１０５で始動したタイマの時間（番組の先頭からの経過時間）をチェックする。なお、ここでは、タイマを用いた時間計測によって番組の先頭からの経過時間を計測しているが、例えば、チャンネル切り換え要求が行われた時刻（すなわち、現在時刻）と番組の先頭が検出された時刻との間の時間を算出することで、上記の経過時間を算出してもよい。
【００６２】
ここで、ステップＳ１０７で番組開始時から同一チャンネルの視聴が所定の時間Ｔ以上経過している場合には、ステップＳ１１０において、もう一方のチューナ２の状態をチェックする。ここで、チューナ２が未使用の場合には、ステップＳ１１１においてチューナ２のチャンネルをステップＳ１０６で入力された要求チャンネルに切り換え、ステップＳ１１２においてチューナ２の選局データを表示モニタに出力できるように出力選択スイッチを切り換えるとともに、ステップＳ１１３において、チューナ１の一時記録動作とは別に（チューナ１の一時記録動作を維持したまま）、チューナ２で選局しているデータの一時記録動作を開始する。そして、ステップＳ１１４において、ステップＳ１０５でスタートさせたタイマをストップ及びリセットした後、ステップＳ１０３に戻ってチューナ１で選局された番組を表示モニタに出力し、上述の動作を繰り返す。なお、例えば、チェック対象のチューナが録画に使用されている状態の場合は、このチューナは使用中であると判断され、単に任意のチャンネルを選局及び受信している状態などの場合には、このチューナは未使用の状態であると判断される。
【００６３】
一方、ステップＳ１０７で番組開始時から同一チャンネルの視聴が所定の時間Ｔ以上経過していない場合（タイマが動作していない場合も含む）や、ステップＳ１１０でチューナ２が使用中（例えば、チューナ２で受信中の番組が録画中）の場合には、ステップＳ１０８において、チューナ１のチャンネルを要求チャンネルに切り換え、ステップＳ１０９においてチューナ１の選局データを表示モニタに出力できるように出力選択スイッチを切り換える。そして、ステップＳ１１４において、ステップＳ１０５でスタートさせたタイマをストップ及びリセットした後、ステップＳ１０３に戻ってチューナ１で選局された番組を表示モニタに出力し、上述の動作を繰り返す。
【００６４】
以上、説明したように、本発明の第１の実施の形態によれば、ユーザが番組の先頭から所定の時間Ｔ以上視聴している番組をユーザが興味を示している番組と判断して、その番組を自動的に一時記録するとともに、この一時記録を継続して行うようにすることが可能となる。また、ユーザによって別のチャンネルに切り換える動作が行われた場合には、ユーザが興味を示していると判断された番組の一時記録動作を継続して行う一方、もう一方の空いているチューナを利用して、ユーザによって選局された番組の受信及び表示を行うことが可能となる。
【００６５】
＜第２の実施の形態＞
次に、図５、図６を参照しながら、本発明の第２の実施の形態について説明する。図５は、本発明の第２の実施の形態における記録再生装置の動作の一例を示すタイミングチャートである。
【００６６】
図３と同様に、図５には、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図５には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ１の一時記録の再生状態：Ｐ１、モニタに表示する対象チャンネル（表示状態）：Ｄの各項目が配置されている。また、図５では、必要に応じて、各チャンネルで放送されている番組に関しても図示されている。また、チューナ２の一時記録動作：Ｃ２に関しては、図示省略する。
【００６７】
図５において、記録再生装置は、例えば電源投入時から一時記録機能が動作するように構成されている。すなわち、時刻ｔ１０におけるユーザの操作Ｕ（ｔ０）＝電源オン（ＰＷ ＯＮ）と同時に、チューナ１及びチューナ２の一時記録動作が始動する。
【００６８】
続いて行われるユーザによるチャンネル切り換え要求Ｕ（ｔ１１）＝Ｃｈ１、Ｕ（ｔ１２）＝Ｃｈ３、Ｕ（ｔ１３）＝Ｃｈ１に対して、チューナ１は、その要求に応じて随時Ｔｕ１（ｔ１１）＝Ｃｈ１、Ｔｕ１（ｔ１２）＝Ｃｈ３、Ｔｕ１（ｔ１３）＝Ｃｈ１のように、チャンネルの切り換えを行う。また、このチューナ１の一時記録の対象チャンネルもユーザのチャンネル切り換え要求に連動して、Ｃ１（ｔ１１）＝Ｃｈ１、Ｃ１（ｔ１２）＝Ｃｈ３、Ｃ１（ｔ１３）＝Ｃｈ１となり、モニタ表示もユーザのチャンネル切り換え要求に追従して、Ｄ（ｔ１１）＝Ｃｈ１、Ｄ（ｔ１２）＝Ｃｈ３、Ｄ（ｔ１３）＝Ｃｈ１となる。
【００６９】
ここで、時刻ｔ１４において、ユーザがＣｈ１の番組０（チューナ１に一時記録されている番組０）の再生要求Ｕ（ｔ１４）＝番組０再生を行ったとする。このとき、チューナ１の一時記録の再生状態はＰ１（ｔ１４）＝再生（例えば、時刻ｔ１３以降に一時記録されているＣｈ１の番組）となり、モニタ表示も再生要求に追従して、Ｄ（ｔ１４）＝再生（例えば、時刻ｔ１３以降に一時記録されているＣｈ１の番組）となる。
【００７０】
なお、ここでは、時刻ｔ１３以降から番組終了時刻ｔ１５まで放送された番組０が、時刻ｔ１４から時刻ｔ１６において視聴され、引き続き、番組１が時刻ｔ１７まで視聴された後、時刻ｔ１７において、ユーザによってＵ（ｔ１７）＝再生停止の指示が入力されたとする。また、ここでは、番組０の視聴時間Ｔｐ０（時刻ｔ１４から時刻ｔ１６までの時間）や、番組１の視聴時間Ｔｐ１（時刻ｔ１６から時刻ｔ１７までの時間）は、後述の所定の時間ＴｐＬｏｃｋよりも短いものとする。すなわち、Ｔｐ０＜ＴｐＬｏｃｋ、Ｔｐ１＜ＴｐＬｏｃｋである。
【００７１】
続いて、ユーザによってチャンネル切り換え要求Ｕ（ｔ１８）＝Ｃｈ４、Ｕ（ｔ１９）＝Ｃｈ１が行われた場合、チューナ１は、この要求に応じてＴｕ１（ｔ１８）＝Ｃｈ４、Ｔｕ１（ｔ１９）＝Ｃｈ１のようにチャンネルの切り換えを行う。また、このチューナ１の一時記録の対象チャンネルもユーザのチャンネル切り換え要求に連動して、Ｃ１（ｔ１８）＝Ｃｈ４、Ｃ１（ｔ１９）＝Ｃｈ１となり、モニタ表示もユーザのチャンネル切り換え要求に追従して、Ｄ（ｔ１８）＝Ｃｈ４、Ｄ（ｔ１９）＝Ｃｈ１となる。
【００７２】
次に、先ほどと同様に、時刻ｔ２０において、ユーザがＣｈ１の番組４（チューナ１に一時記録されている番組４）の再生要求Ｕ（ｔ２０）＝番組４再生を行ったとする。このとき、チューナ１の一時記録の再生状態はＰ１（ｔ２０）＝再生（例えば、時刻ｔ１９以降に一時記録されているＣｈ１の番組）となり、モニタ表示も再生要求に追従して、Ｄ（ｔ２０）＝再生（例えば、時刻ｔ１９以降に一時記録されているＣｈ１の番組）となる。
【００７３】
この一時記録されている番組４の視聴が所定の時間ＴｐＬｏｃｋ以上行われた後の時刻ｔ２２において、ユーザによってチャンネル切り換え要求Ｕ（ｔ２２）＝Ｃｈ３が行われた場合には、一時記録データの再生状態Ｐ１（ｔ２２）＝停止となり、このとき、チューナＴｕ１の選局及びチューナ１の一時記録動作はそのまま継続される一方、ユーザのチャンネル切り換え要求に対してはチューナ２が用いられて、Ｔｕ２（ｔ２２）＝Ｃｈ３となる。また、モニタ表示は、ユーザのチャンネル切り換え要求に追従して、Ｄ（ｔ２２）＝Ｃｈ３となる。
【００７４】
このように、ユーザが、同一の番組（上記の番組４）を所定の時間ＴｐＬｏｃｋ以上継続して視聴し続けている場合には、このチャンネルを固定（ロック）し、所定の時間ＴｐＬｏｃｋが経過した時刻（図５の時刻ｔ２１）以降にチャンネル切り換え要求が行われた場合に、この番組の一時記録が継続して行われるようにする。なお、一時記録動作は、この番組が終了した時点で停止してもよく、また、その後の番組も継続して記録してもよい。
【００７５】
これにより、ユーザが同一の番組を所定の時間ＴｐＬｏｃｋ以上視聴している状態を検出するとともに、この番組をユーザが興味を示した番組として特定し、その後のユーザのチャンネル切り換え動作とは無関係に、一方のチューナを固定して、この番組の記録を継続することが可能となる。
【００７６】
なお、所定の時間ＴｐＬｏｃｋには、ユーザが番組に興味を示した場合に継続して視聴する時間の閾値が設定されるが、例えば数１０秒、数分あるいは数１０分など、任意の時間が設定可能である。この所定の時間ＴｐＬｏｃｋは、メーカの出荷時又は各ユーザが設定することも可能であり、各番組のジャンルや放送予定時間などに従って設定されてもよい。
【００７７】
次に、図６を参照しながら、本発明の第２の実施の形態における記録再生装置で行われる処理について説明する。図６は、本発明の第２の実施の形態における記録再生装置の処理の一例を示すフローチャートである。以下では、説明を簡素化するためにチャンネル切り換え及び一時記録動作に係る処理についてのみ説明する。
【００７８】
図６に示すように、記録再生装置は電源がオンになるとシステムを順次起動する。その一環として、ステップＳ２０１でチューナ１、２を起動し、ステップＳ２０２でチューナ１で選局されている受信データ（番組）の一時記録動作を自動的に開始し、ステップＳ２０３で選局されたチャンネルの番組（あるいは、記録媒体に記録されている映像）をＴＶなどの表示モニタに出力する。
【００７９】
ステップＳ２１５において、上述のように一時記録が動作中の状態の記録再生装置に、チューナ１で一時記録されている一時記録データの再生要求がユーザから入力された場合には、ステップＳ２１６に進み、一時記録データの再生を開始するとともに、ステップＳ２１７において、同一の番組に係る番組データの連続再生時間（連続視聴時間）を計測するためのタイマをスタートさせる。なお、再生中の一時記録データに関して、新たな番組の先頭（境界）が検出された場合には、再度ステップＳ２１７に戻り、新たに検出された番組の連続再生時間を計測するためのタイマを再びスタートさせる。また、この一時記録データの再生状態においては、常にステップＳ２０６において、ユーザからのチャンネル切り換え要求のチェックが行われる。
【００８０】
一方、ステップＳ２１５で一時記録の再生要求の入力が検出されなかった場合には、タイマをスタートさせず、ステップＳ２０６において、ユーザからのチャンネル切り換え要求のチェックが行われる。
【００８１】
ステップＳ２０６でチャンネル切り換え要求が検出されない場合には、ステップＳ２０３に戻って、上述の処理を繰り返す一方、チャンネル切り換え要求が検出された場合には、ステップＳ２１９において、ステップＳ２１７で始動させたタイマの時間（同一番組の連続再生時間）をチェックする。
【００８２】
ここで、ステップＳ２１９で同一番組の連続再生時間が所定の時間ＴｐＬｏｃｋ以上経過している場合には、ステップＳ２１０において、もう一方のチューナ２の状態をチェックする。ここで、チューナ２が未使用の場合には、ステップＳ２１１においてチューナ２のチャンネルをステップＳ２０６で入力された要求チャンネルに切り換え、ステップＳ２１２においてチューナ２の選局データを表示モニタに出力できるように出力選択スイッチを切り換えるとともに、ステップＳ２１３において、チューナ１の一時記録動作とは別に（チューナ１の一時記録動作を維持したまま）、チューナ２で選局しているデータの一時記録動作を開始する。そして、ステップＳ２２０において、ステップＳ２１７でスタートさせたタイマをストップ及びリセットした後、ステップＳ２０３に戻ってチューナ２で選局された番組を表示モニタに出力し、上述の動作を繰り返す。
【００８３】
一方、ステップＳ２１９で同一番組の連続再生時間が所定の時間ＴｐＬｏｃｋ以上経過していない場合（タイマが動作していない場合も含む）や、ステップＳ２１０でチューナ２が使用中（例えば、チューナ２で受信中の番組が録画中）の場合には、ステップＳ２０８において、チューナ１のチャンネルを要求チャンネルに切り換え、ステップＳ２０９においてチューナ１の選局データを表示モニタに出力できるように出力選択スイッチを切り換える。そして、ステップＳ２２０において、ステップＳ２１７でスタートさせたタイマをストップ及びリセットした後、ステップＳ２０３に戻ってチューナ１で選局された番組を表示モニタに出力し、上述の動作を繰り返す。
【００８４】
以上、説明したように、本発明の第２の実施の形態によれば、ユーザが一時記録されている番組の先頭から、この番組を連続して所定の時間Ｔ以上再生している場合、この番組をユーザが興味を示している番組と判断し、この番組の一時記録を継続して行うようにすることが可能となる。また、ユーザによって別のチャンネルに切り換える動作が行われた場合には、ユーザが興味を示していると判断された番組の一時記録動作を継続して行う一方、もう一方の空いているチューナを利用して、ユーザによって選局された番組の受信及び表示を行うことが可能となる。  
【００８５】
＜第３の実施の形態＞
次に、図７、図８を参照しながら、本発明の第３の実施の形態について説明する。図７は、本発明の第３の実施の形態における記録再生装置の動作の一例を示すタイミングチャートである。
【００８６】
図３と同様に、図７には、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図７には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ２の受信データを所定の録画装置で録画する録画状態：Ｒ２、チューナ１の一時記録動作：Ｃ１、モニタに表示する対象チャンネル（表示状態）：Ｄの各項目が配置されている。また、チューナ２の一時記録動作：Ｃ２に関しては、図示省略する。
【００８７】
図７において、記録再生装置は、例えば電源投入時から一時記録機能が動作するように構成されている。すなわち、時刻ｔ３０におけるユーザの操作Ｕ（ｔ３０）＝電源オン（ＰＷ ＯＮ）と同時に、チューナ１及びチューナ２の一時記録動作が始動する。
【００８８】
続いて行われるユーザによるチャンネル切り換え要求Ｕ（ｔ３１）＝Ｃｈ１、Ｕ（ｔ３２）＝Ｃｈ４に対して、チューナ１は、その要求に応じて随時Ｔｕ１（ｔ３１）＝Ｃｈ１、Ｔｕ１（ｔ３２）＝Ｃｈ４のように、チャンネルの切り換えを行う。また、このチューナ１の一時記録の対象チャンネルもユーザのチャンネル切り換え要求に連動して、Ｃ１（ｔ３１）＝Ｃｈ１、Ｃ１（ｔ３２）＝Ｃｈ４となり、モニタ表示もユーザのチャンネル切り換え要求に追従して、Ｄ（ｔ３１）＝Ｃｈ１、Ｄ（ｔ３２）＝Ｃｈ４となる。なお、ここでは、ユーザによるＣｈ１の選択の時刻ｔ３１から、Ｃｈ４の選択の時刻ｔ３２までの時間Ｔ２が、所定の時間Ｔ０よりも短いものとする。また、ユーザによるＣｈ１の選択の時刻ｔ３１から、次に予約録画時刻ｔ３３までの時間Ｔ４が、所定の時間Ｔ８よりも短いものとする。すなわち、Ｔ０＜Ｔ２、Ｔ４＜Ｔ８である。
【００８９】
ここで、時刻ｔ３３において、Ｃｈ６の予約録画が開始されたとする。このとき、ユーザはチューナ１の受信データを視聴中であるため、チューナ２で予約録画番組の受信が行われ、所定の録画装置に番組が録画される。すなわち、Ｔｕ２（ｔ３３）＝Ｃｈ６、Ｒ２（ｔ３３）＝Ｃｈ６となる。
【００９０】
この予約録画中に、ユーザによってチャンネル切り換え要求Ｕ（ｔ３４）＝Ｃｈ３、Ｕ（ｔ３５）＝Ｃｈ１が行われた場合には、チューナ１がその要求に応じてＴｕ１（ｔ３４）＝Ｃｈ３、Ｔｕ１（ｔ３５）＝Ｃｈ１のように、チャンネルの切り換えを行う。また、このチューナ１の一時記録の対象チャンネルもユーザのチャンネル切り換え要求に連動して、Ｃ１（ｔ３４）＝Ｃｈ３、Ｃ１（ｔ３５）＝Ｃｈ１となり、モニタ表示もユーザのチャンネル切り換え要求に追従して、Ｄ（ｔ３４）＝Ｃｈ３、Ｄ（ｔ３５）＝Ｃｈ１となる。
【００９１】
ここで、予約録画が時刻ｔ３６で終了した後、時刻ｔ３８でユーザによるチャンネル切り換え要求Ｕ（ｔ３８）＝Ｃｈ４が行われたとする。このとき、次の予約録画までの時間（時刻ｔ３８から時刻ｔ４０までの時間Ｔ６）が所定の時間Ｔ８以上残っており、さらに、時刻ｔ３７の時点で、既にユーザはＣｈ１の番組を所定の時間Ｔ０以上連続して視聴しているので、Ｔｕ１の選局は時刻ｔ３７（あるいは時刻ｔ３８）に固定（ロック）される。なお、これらの条件のうちの両方が当てはまる場合に、チャンネルの固定が行われることが望ましい。
【００９２】
その結果、チューナ１の選局及びチューナ１の一時記録動作は固定され、時刻ｔ３８及びその後の時刻ｔ３９でユーザによって行われるチャンネル切り換え要求に対して、チューナ２がその要求に応じて、Ｔｕ２（ｔ３８）＝Ｃｈ４、Ｔｕ２（ｔ３９）＝Ｃｈ６のように、チャンネルの切り換えを行う。また、時刻ｔ４０におけるＣｈ３の予約録画に対しても、チューナ２で予約録画番組の受信が行われ、所定の録画装置に番組が録画される。すなわち、Ｔｕ２（ｔ４０）＝Ｃｈ３、Ｒ２（ｔ４０）＝Ｃｈ３となる。
【００９３】
次に、図８を参照しながら、本発明の第３の実施の形態における記録再生装置で行われる処理について説明する。図８は、本発明の第３の実施の形態における記録再生装置の処理の一例を示すフローチャートである。以下では、説明を簡素化するためにチャンネル切り換え及び一時記録動作に係る処理についてのみ説明する。
【００９４】
図８に示すように、記録再生装置は電源がオンになるとシステムを順次起動する。その一環として、ステップＳ３０１でチューナ１、２を起動し、ステップＳ３０２でチューナ１で選局されている受信データ（番組）の一時記録動作を自動的に開始し、ステップＳ３０３で選局されたチャンネルの番組（あるいは、記録媒体に記録されている映像）をＴＶなどの表示モニタに出力する。
【００９５】
次に、ステップＳ３２１において、選局されているチャンネルの視聴時間などを計測するためのタイマタイミング（例えばチャンネル切り換え要求など）が検出可能か否かをチェックする。ステップＳ３２１でタイマタイミングが検出された場合には、ステップＳ３２２に進み、同一番組の連続再生時間（連続視聴時間）を測定するためのタイマをスタートさせる。なお、タイマスタート後は、常にステップＳ３０６において、ユーザからのチャンネル切り換え要求のチェックが行われる。
【００９６】
一方、ステップＳ３２１でタイマタイミングが検出されなかった場合には、タイマをスタートさせず、ステップＳ３０６において、ユーザからのチャンネル切り換え要求のチェックが行われる。ステップＳ３０６でチャンネル切り換え要求が検出されない場合には、ステップＳ３０３に戻って、上述の処理を繰り返す一方、チャンネル切り換え要求が検出された場合には、ステップＳ３２３において、ステップＳ３２２で始動させたタイマの時間（同一番組の連続再生時間）をチェックする。
【００９７】
ここで、ステップＳ３２３で同一番組の連続再生時間が所定の時間Ｔ０以上経過している場合には、ステップＳ３１０において、もう一方のチューナ２の状態をチェックする。ここで、チューナ２が未使用の場合には、さらにステップＳ３２４において、次の予約録画の開始時刻まで所定の時間Ｔ８以上残っているか否かをチェックする。そして、次の予約録画の開始時刻まで所定の時間Ｔ８以上残っている場合には、ステップＳ３１１に進む。
【００９８】
ステップＳ３１１では、チューナ２のチャンネルをステップＳ３０６で入力された要求チャンネルに切り換え、ステップＳ３１２においてチューナ２の選局データを表示モニタに出力できるように出力選択スイッチを切り換えるとともに、ステップＳ３１３において、チューナ１の一時記録動作とは別に（チューナ１の一時記録動作を維持したまま）、チューナ２で選局しているデータの一時記録動作を開始する。そして、ステップＳ３２５において、ステップＳ３２２でスタートさせたタイマをストップ及びリセットした後、ステップＳ３０３に戻ってチューナ２で選局された番組を表示モニタに出力し、上述の動作を繰り返す。
【００９９】
一方、ステップＳ３２３で同一番組の連続再生時間が所定の時間Ｔ０以上経過していない場合（タイマが動作していない場合も含む）、ステップＳ３１０でチューナ２が使用中（例えば、チューナ２で受信中の番組が録画中）の場合、ステップＳ３２４で次の予約録画の開始時刻まで所定の時間Ｔ８以上残っていない場合には、ステップＳ３０８において、チューナ１のチャンネルを要求チャンネルに切り換え、ステップＳ３０９においてチューナ１の選局データを表示モニタに出力できるように出力選択スイッチを切り換える。そして、ステップＳ３２５において、ステップＳ３２２でスタートさせたタイマをストップ及びリセットした後、ステップＳ３０３に戻ってチューナ１で選局された番組を表示モニタに出力し、上述の動作を繰り返す。
【０１００】
以上、説明したように、本発明の第３の実施の形態によれば、ユーザがチャンネルを切り換えることなく、同一チャンネルを所定の時間Ｔ０以上視聴している場合、このチャンネルの番組をユーザが興味を示している番組と判断することが可能となる。さらに、その後に行われる予約録画の開始時刻が所定の時間Ｔ８以上後に行われるか否かを確認することによって、予約録画などのチューナ占有動作とチューナ選局の固定とが一定時間は重ならないことを確認したうえで、この番組の一時記録動作を継続して行うようにすることが可能となる。
【０１０１】
＜第４の実施の形態＞
次に、図９、図１０を参照しながら、本発明の第４の実施の形態について説明する。図９は、本発明の第４の実施の形態における記録再生装置の動作の一例を示すタイミングチャートである。
【０１０２】
図３と同様に、図９には、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図９には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ２の受信データを所定の録画装置で録画する録画状態：Ｒ２、チューナ１の一時記録動作：Ｃ１、モニタに表示する対象チャンネル（表示状態）：Ｄの各項目が配置されている。また、図９では、必要に応じて、各チャンネルで放送されている番組に関しても図示されている。また、チューナ２の一時記録動作：Ｃ２に関しては、図示省略する。
【０１０３】
図９において、記録再生装置は、例えば電源投入時から一時記録機能が動作するように構成されている。すなわち、時刻ｔ５０におけるユーザの操作Ｕ（ｔ５０）＝電源オン（ＰＷ ＯＮ）と同時に、チューナ１及びチューナ２の一時記録動作が始動する。
【０１０４】
続いて行われるユーザによるチャンネル切り換え要求Ｕ（ｔ５１）＝Ｃｈ１、Ｕ（ｔ５２）＝Ｃｈ４に対して、チューナ１は、その要求に応じて随時Ｔｕ１（ｔ５１）＝Ｃｈ１、Ｔｕ１（ｔ５２）＝Ｃｈ４のように、チャンネルの切り換えを行う。また、このチューナ１の一時記録の対象チャンネルもユーザのチャンネル切り換え要求に連動して、Ｃ１（ｔ５１）＝Ｃｈ１、Ｃ１（ｔ５２）＝Ｃｈ４となり、モニタ表示もユーザのチャンネル切り換え要求に追従して、Ｄ（ｔ５１）＝Ｃｈ１、Ｄ（ｔ５２）＝Ｃｈ４となる。
【０１０５】
なお、時刻ｔ５１においてＣｈ１では番組０が放送されており、時刻ｔ５２においてＣｈ４では番組１が放送されているものとする。また、ここでは、ユーザによるＣｈ１の選択の時刻ｔ５１から、Ｃｈ４の選択の時刻ｔ５２までの時間Ｔ１２が、所定の時間Ｔ１０よりも短いものとする。すなわち、Ｔ１０＜Ｔ１２である。
【０１０６】
ここで、時刻ｔ５３において、Ｃｈ６の予約録画（予約録画開始時刻ｔ５３、予約録画終了時刻ｔ５６）が開始されたとする。このとき、ユーザはチューナ１の受信データを視聴中であるため、チューナ２で予約録画番組の受信が行われ、所定の録画装置に番組が録画される。すなわち、Ｔｕ２（ｔ５３）＝Ｃｈ６、Ｒ２（ｔ５３）＝Ｃｈ６となる。
【０１０７】
この予約録画中に、ユーザによってチャンネル切り換え要求Ｕ（ｔ５４）＝Ｃｈ３、Ｕ（ｔ５５）＝Ｃｈ１が行われた場合には、チューナ２が予約録画に用いられているため、チューナ１がその要求に応じてＴｕ１（ｔ５４）＝Ｃｈ３、Ｔｕ１（ｔ５５）＝Ｃｈ１のように、チャンネルの切り換えを行う。また、このチューナ１の一時記録の対象チャンネルもユーザのチャンネル切り換え要求に連動して、Ｃ１（ｔ５４）＝Ｃｈ３、Ｃ１（ｔ５５）＝Ｃｈ１となり、モニタ表示もユーザのチャンネル切り換え要求に追従して、Ｄ（ｔ５４）＝Ｃｈ３、Ｄ（ｔ５５）＝Ｃｈ１となる。
【０１０８】
ここで、予約録画が時刻ｔ５６で終了した後、時刻ｔ６０でユーザによるチャンネル切り換え要求Ｕ（ｔ６０）＝Ｃｈ４が行われたとする。このとき、現在ユーザが視聴しているＣｈ１の番組４（放送終了予定時刻ｔ６１）の放送時間帯が次の予約録画（予約録画開始時刻ｔ６２）の録画時間帯と重複することなく、さらに、時刻ｔ５９の時点で既にユーザはＣｈ１の番組４を所定の時間Ｔ１０以上連続して視聴しているので（時間Ｔ１１＞Ｔ１０）、Ｔｕ１の選局は時刻ｔ５９（あるいは時刻ｔ６０）に固定（ロック）される。なお、これらの条件のうちの両方が当てはまる場合には、チャンネルの固定が行われることが望ましい。
【０１０９】
なお、時刻ｔ５９におけるチューナ１の固定とは対照的に、時刻ｔ５１で選局されたＣｈ１の番組０は、所定の時間Ｔ１０より短い連続視聴であり、さらには、番組０の終了時刻がＣｈ６の予約録画時刻より後であり、すなわち、Ｃｈ６の予約録画時間帯と重複しており、その結果、時刻ｔ５１で選局されたＣｈ１の番組０に係るチャンネルの固定は行われない。
【０１１０】
上述した処理の結果、チューナ１の選局及びチューナ１の一時記録動作は固定され、時刻ｔ６０でユーザによって行われるチャンネル切り換え要求に対して、チューナ２がその要求に応じて、Ｔｕ２（ｔ６０）＝Ｃｈ４のようにチャンネルの切り換えを行い、モニタ表示もＤ（ｔ６０）＝Ｃｈ４となる。また、時刻ｔ６２におけるＣｈ３の予約録画に対しても、チューナ２で予約録画番組の受信が行われ、所定の録画装置に番組が録画される。すなわち、Ｔｕ２（ｔ６２）＝Ｃｈ３、Ｒ２（ｔ６２）＝Ｃｈ３となる。なお、ここでは、番組の録画と同時に、チューナ１で選局されている番組が表示されているが（すなわち、Ｄ（ｔ６２）＝Ｃｈ１）、チューナ２で選局されている録画番組が表示されてもよい。
【０１１１】
さらに、予約録画中に例えばユーザによるチャンネル切り換え要求Ｕ（ｔ６３）＝Ｃｈ４が行われた場合には、チューナ１は予約録画に用いられているため、チューナ１によって番組の受信が行われる。すなわち、チャンネル切り換え要求Ｕ（ｔ６３）＝Ｃｈ４に対してチューナ１が対応して、Ｔｕ１（ｔ６３）＝Ｃｈ４、Ｃ１（ｔ６３）＝Ｃｈ４、Ｄ（ｔ６３）＝Ｃｈ４となる。
【０１１２】
次に、図１０を参照しながら、本発明の第４の実施の形態における記録再生装置で行われる処理について説明する。図１０は、本発明の第４の実施の形態における記録再生装置の処理の一例を示すフローチャートである。以下では、説明を簡素化するためにチャンネル切り換え及び一時記録動作に係る処理についてのみ説明する。
【０１１３】
図１０に示すように、記録再生装置は電源がオンになるとシステムを順次起動する。その一環として、ステップＳ４０１でチューナ１、２を起動し、ステップＳ４０２でチューナ１で選局されている受信データ（番組）の一時記録動作を自動的に開始し、ステップＳ４０３で選局されたチャンネルの番組（あるいは、記録媒体に記録されている映像）をＴＶなどの表示モニタに出力する。
【０１１４】
次に、ステップＳ４２６において、選局されているチャンネルの視聴時間などを計測するためのタイマタイミング（例えばチャンネル切り換え要求など）が検出可能か否かをチェックする。ステップＳ４２６でタイマタイミングが検出された場合には、ステップＳ４２７に進み、同一番組の連続再生時間（連続視聴時間）を測定するためのタイマをスタートさせる。なお、タイマスタート後は、常にステップＳ４０６において、ユーザからのチャンネル切り換え要求のチェックが行われる。
【０１１５】
一方、ステップＳ４２６でタイマタイミングが検出されなかった場合には、タイマをスタートさせず、ステップＳ４０６において、ユーザからのチャンネル切り換え要求のチェックが行われる。ステップＳ４０６でチャンネル切り換え要求が検出されない場合には、ステップＳ４０３に戻って、上述の処理を繰り返す一方、チャンネル切り換え要求が検出された場合には、ステップＳ４２８において、ステップＳ４２７で始動させたタイマの時間（同一番組の連続再生時間）をチェックする。
【０１１６】
ここで、ステップＳ４２８で同一番組の連続再生時間が所定の時間Ｔ１０以上経過している場合には、ステップＳ４１０において、もう一方のチューナ２の状態をチェックする。ここで、チューナ２が未使用の場合には、さらにステップＳ４２９において、次の予約録画の開始時刻が現在視聴中の番組終了時間内に含まれるか否か（すなわち、現在視聴中の番組の放送時間帯と、次の録画予約時間帯とが重複しているか否か）をチェックする。そして、次の予約録画の開始時刻が現在視聴中の番組終了時間内に含まれない場合には、ステップＳ４１１に進む。
【０１１７】
ステップＳ４１１では、チューナ２のチャンネルをステップＳ４０６で入力された要求チャンネルに切り換え、ステップＳ４１２においてチューナ２の選局データを表示モニタに出力できるように出力選択スイッチを切り換えるとともに、ステップＳ４１３において、チューナ１の一時記録動作とは別に（チューナ１の一時記録動作を維持したまま）、チューナ２で選局しているデータの一時記録動作を開始する。そして、ステップＳ４３０において、ステップＳ４２７でスタートさせたタイマをストップ及びリセットした後、ステップＳ４０３に戻ってチューナ２で選局された番組を表示モニタに出力し、上述の動作を繰り返す。
【０１１８】
一方、ステップＳ４２８で同一番組の連続再生時間が所定の時間Ｔ１０以上経過していない場合（タイマが動作していない場合も含む）、ステップＳ４１０でチューナ２が使用中（例えば、チューナ２で受信中の番組が録画中）の場合、ステップＳ４２９で次の予約録画の開始時刻が現在視聴中の番組終了時間内に含まれる場合には、ステップＳ４０８において、チューナ１のチャンネルを要求チャンネルに切り換え、ステップＳ４０９においてチューナ１の選局データを表示モニタに出力できるように出力選択スイッチを切り換える。そして、ステップＳ４３０において、ステップＳ４２７でスタートさせたタイマをストップ及びリセットした後、ステップＳ４０３に戻ってチューナ１で選局された番組を表示モニタに出力し、上述の動作を繰り返す。
【０１１９】
以上、説明したように、本発明の第４の実施の形態によれば、ユーザがチャンネルを切り換えることなく、同一チャンネルを所定の時間Ｔ１０以上視聴している場合、このチャンネルの番組をユーザが興味を示している番組と判断する。さらに、この番組の放送時間帯と、その後に行われる予約録画の時間帯とが重複しているか否かを確認することによって、予約録画などのチューナ占有動作と自動的に行われる一時記録動作の時間帯とが重ならないことを確認したうえで、この番組の一時記録動作を継続して行い、一時記録動作によって記録される番組が最後まで記録されるようにすることが可能となる。
【０１２０】
なお、上述の各実施の形態におけるフローチャートの各ステップの処理は一例であり、本発明は、上述の各実施の形態におけるフローチャートに係る方法に限定されず、他の方法によって実現されてもよい。また、図１に図示されている記録処理部４や制御部８、図２に図示されているシステム制御部２２、あるいはその他の任意の機能実現ユニットはプログラムを実行することによって実現可能である。また、上述のように、図１及び図２に図示されている構成は、ハードウェア及び／又はソフトウェアによって実現されるものであり、上述の各実施の形態におけるフローチャートの各ステップの処理は、実行されるハードウェア及び／又はソフトウェアに適した処理に変更されることが望ましい。また、本明細書では、記録再生装置が２つのチューナを有する場合を一例として説明しているが、３つ以上のチューナを有する場合においても本発明は実現可能である。
【産業上の利用可能性】
【０１２１】
本発明の映像データ記録再生制御装置は、ユーザが、何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画することを可能とし、映像データ（特に、ＴＶ放送における放送番組を通じて取得される映像データ）の記録再生技術や複数のチューナを利用したキャッシュ機能に係る技術に適用可能である。
【図面の簡単な説明】
【０１２２】
【図１】本発明の第１〜第４の実施の形態において用いられる記録再生装置の構成の概略を示すブロック図である。
【図２】本発明の第１〜第４の実施の形態において用いられる記録再生装置の記録処理部及び制御部によって実現される機能の一例を示すブロック図である。
【図３】本発明の第１の実施の形態における記録再生装置の動作の一例を示すタイミングチャートである。
【図４】本発明の第１の実施の形態における記録再生装置の処理の一例を示すフローチャートである。
【図５】本発明の第２の実施の形態における記録再生装置の動作の一例を示すタイミングチャートである。
【図６】本発明の第２の実施の形態における記録再生装置の処理の一例を示すフローチャートである。
【図７】本発明の第３の実施の形態における記録再生装置の動作の一例を示すタイミングチャートである。
【図８】本発明の第３の実施の形態における記録再生装置の処理の一例を示すフローチャートである。
【図９】本発明の第４の実施の形態における記録再生装置の動作の一例を示すタイミングチャートである。
【図１０】本発明の第４の実施の形態における記録再生装置の処理の一例を示すフローチャートである。
【図１１】従来の技術に係る動作の第１の例を示すタイミングチャートである。
【図１２】従来の技術に係る動作の第２の例を示すタイミングチャートである。
【図１３】従来の技術に係る動作の第３の例を示すタイミングチャートである。
【符号の説明】
【０１２３】
１  外部機器入力部
２  第１放送受信部（チューナ１）
３  第２放送受信部（チューナ２）
４  記録処理部
５  表示部
６  ユーザ制御部
７  外部機器出力部
８  制御部
９  信号選択部
１０  記録信号処理部
１１  記録制御部
１２  記録媒体管理部
１３、１４  一時記録部
１５  記録媒体
１６  再生制御部
１７  再生信号処理部
１８  表示制御部
１９  ディスプレイ表示処理部
２０  予約録画制御部
２１  システムタイマ部
２２  システム制御部
２３  番組情報抽出／管理部
２４  回線制御部
５０  記録再生装置
【図１】
2007180849.tif 000003
【図２】
2007180849.tif 000004
【図３】
2007180849.tif 000005
【図４】
2007180849.tif 000006
【図５】
2007180849.tif 000007
【図６】
2007180849.tif 000008
【図７】
2007180849.tif 000009
【図８】
2007180849.tif 000010
【図９】
2007180849.tif 000011
【図１０】
2007180849.tif 000012
【図１１】
2007180849.tif 000013
【図１２】
2007180849.tif 000014
【図１３】
2007180849.tif 000015